(57)【特許請求の範囲】
【請求項１】
遮音壁を立設する面に格納凹部を設け、この格納凹部内に格納時には上端側が前記格納凹部内に納められる上下伸縮可能な支持部材を所定間隔離して設けるとともに、
前記支持部材の上端間の両側に、長手方向が互いに平行に揃えられた複数枚の矩形の遮音パネルを、その長辺部分同士を屈曲可能に連接して、中間に空気層を介在させて上下方向へパンタグラフ構造が形成できるように蛇腹状連接手段で連接した遮音パネルの左右両端部上端側を取り付けたことを特徴とする可変遮音壁。
【請求項２】
遮音壁を立設する面に格納凹部を設け、この格納凹部内に格納時には上端側が前記格納凹部内に納められる上下伸縮可能な支持部材を所定間隔離して設けるとともに、
それぞれの支持部材の上端側に、上下伸縮可能なパンタグラフ構造部材の上端側を取り付け、前記パンタグラフ構造部材の両側のリンク間に、遮音パネルをかけ渡すように設けて蛇腹状連接手段で中間に空気層を介在させて遮音パネルが連接されていることを特徴とする可変遮音壁。
【請求項３】
遮音パネルは、脱着自在に連接されていることを特徴とする請求項１又は２に記載の可変遮音壁。
【発明の詳細な説明】
【０００１】
【発明の属する技術分野】
本発明は、コンサート等を開催するイベント会場等に周囲への防音対策として設ける遮音壁に関する。
【０００２】
【従来の技術】
コンサート等が行なわれる屋外イベント会場等では、従来より、周囲への防音対策として遮音壁が常設されている。遮音壁は、低減する騒音量に応じて一定の高さが必要である。そのため、かかるイベント会場等の遮音壁の高さは、予め設計段階等で予想された騒音量に基づき決められている。
【０００３】
【発明が解決しようとする課題】
しかし、従来のように、予想した騒音量に基づき高さ設定した遮音壁が常設できるのは、ある程度頻繁にコンサート等が開かれるような場所である。ある程度恒常的に騒音が発生する場所では遮音壁を常設しても問題はないが、時々コンサート等が開かれる程度の、いわゆる期間或は時間を限って大きな音や騒音等が発生する程度の場所では、遮音壁を常設しても騒音等が発生しない普段は周囲景観を遮るばかりで、周囲に対して閉鎖的になり景観上好ましくない。
また、従来の遮音壁は高さ変更が基本的にはできない。施工費用との兼ね合いもあり、余裕をみて安易に高い遮音壁を施工することはできず、将来を予測した上で適切な遮音壁の高さを設定するのは意外と難しい。
そこで、本願発明は、上記課題に鑑み提案されたもので、騒音等が発生する場所の状況に応じて高さ調整が可能で、且つ使用しないときには格納ができて周囲の景観等を損なわない遮音壁の提供を目的とする。
【０００４】
【課題を解決するための手段】
上記課題を解決するために、本願発明は、遮音壁を立設するために格納凹部を設け、この格納凹部内に格納時には上端側が前記格納凹部内に納められる上下伸縮可能な支持部材を所定間隔離して設けるとともに、前記支持部材の上端間に、蛇腹状連接手段で上下方向に連接した遮音パネルの左右両端部上端側を取り付けた。上記構成により、支持部材の上下伸縮に合わせて、連接した遮音パネルを上下方向に伸ばしたり、或は折りたたんだりして伸縮させることができる。高さを調節して伸ばすことにより、騒音量に合わせた適切な高さの遮音壁が形成できる。また、上記支持部材は、格納時には上端が格納凹部内に納められるように形成されているため、これに併せて連接した遮音パネルも折りたたみ状態で格納凹部内に格納される。
【０００５】
さらに、本発明は、上記構成の発明の可変遮音壁で、遮音パネルを上下方向に連接する蛇腹状連接手段を、長手方向が互いに平行に揃えられた複数枚の矩形の遮音パネルを、その長辺部分同士を屈曲可能に連接して、上下方向へパンタグラフ構造が形成できるように連接する手段とした。また、本発明の可変遮音壁で、遮音パネルを上下方向に連接する蛇腹状連接手段を、それぞれの支持部材の上端側に、上下伸縮可能なパンタグラフ構造部材の上端側を取り付けるとともに、前記パンタグラフ構造部材のリンク間に、遮音パネルをかけ渡すように設けて連接する手段とした。かかる構成により、遮音パネルの蛇腹状連接構造内にパンタグラフ機構を組み込んで、連接した遮音パネルの上下方向への伸縮が自在に行なえる。
【０００６】
さらに、本発明は、遮音パネルを、脱着自在に連接するようにした。遮音パネルを脱着自在に連接して交換可能にすることにより、遮音パネルに種々の音響効果を有するパネルを使用して、遮音壁としての防音効果を得る一方で、遮音壁に囲まれた空間内の種々の音響的演出が行なえる。例えば、表面に吸音材を貼ったパネルを使用して反射音をなくして広い空間を演出したり、或は音響反射材を貼ったパネルを使用して、音響が錯綜するライブな空間を演出することができる。さらに、パンタグラフ構造を遮音壁の構成に取り入れることにより、遮音壁の壁面部分を波形に形成することができ、遮音壁で囲まれた内部空間の音の跳ね返りや、吸収が、平らな壁面により効果的に行なえる。
【０００８】
【発明の実施の形態】
本発明の実施形態について、以下図により説明する。
本発明の可変遮音壁Ａは、屋内、屋外を問わず設備できるものである。例えば野外の広場に設備して、臨時野外コンサート等が開けるようにしたり、或は、各種イベント等に使用できる広い屋内空間に設備して、適宜会場の一部を臨時の演奏ステージ等とすることもできる。
本実施形態では、屋外に可変遮音壁Ａを設備した場合について説明する。格納凹部１０は、図１に示すように、遮音壁を立設する地面ＧＬに地下格納凹部として形成されている。
尚、可変遮音壁Ａを屋内に設備する場合は、格納凹部１０を床下に形成すればよい。
【０００９】
かかる格納凹部１０は、可変遮音壁Ａを折りたたんで格納できる程度の大きさの略矩形の函体状凹部に形成されている。
また、かかる格納凹部１０には、別体の蓋（図示せず）が設けられ、可変遮音壁Ａを折りたたんで格納した後に、格納凹部１０の上部の開口１１が、通行の邪魔にならないように塞げるようになっている。
格納凹部１０内の底部１２には、上下伸縮可能な支持部材２０が所定間隔離して設けられている。支持部材２０は、本実施形態では、一本の棒状に形成されており、その下端側は格納凹部１０内の底部１２を抜けて地中内に深く抜き差し可能に差し込まれている。この支持部材２０を適宜長さ地中内から上方に抜き出すことにより、可変遮音壁Ａの高さ調節ができるようになっている。
【００１０】
例えば、格納凹部１０の底部１２下側に、モーターを使用した動力装置或は油圧装置等の上下伸縮手段（図示せず）を設けておき、これにより支持部材２０を上下できるように構成すればよい。モーターを使用した動力装置を使用する場合は、支持部材２０の棒状部分を適宜位置でロック可能な噛み合わせ式で上下伸縮できるように構成すればよい。或は、油圧式でより上下動の微調整ができるようして構成してもよい。かかる手段で支持部材２０を上方に抜き出し、所望高さでロックすれば、支持部材２０の高さを可変遮音壁Ａに必要な高さで固定できる。可変遮音壁Ａの規模が大きな場合は、上記のように動力装置や油圧装置等を使用して支持部材２０の上下伸縮手段を確保すればよく、小規模の場合には、以下のように手動で抜き差し可能に構成すればよい。
【００１１】
上記施形態では、支持部材２０を一本の棒状に形成したが、図２に示すように、大小二つの口径の管を二重筒状に差し込んで上下伸縮可能に構成しても構わない。尚、図２では、見やすいように遮音パネル３０等は省略してある。
大口径の外管２１の下端側は、格納凹部１０の底部１２を抜けて地中内に深く鉛直方向に埋設されている。上端側は格納凹部１０の開口１１の面より少し下側まで出され、その管壁には、直径方向にボルト挿通孔が開けられている。
また、内管２２は、外管２１に抜き差し長さ自在に内挿されている。内管２２の管壁には、管の長さ方向に沿って所定間隔に、直径方向に向けてボルト挿通孔が複数設けられている。内管２２のボルト挿通孔を適宜選んで、外管２１のボルト挿通孔に一致させて、外管２１と内管２２とにボルトを挿通してナットで固定すれば、所望の引き出し長さで内管２２の位置固定ができる。
【００１２】
一方、本実施形態の遮音パネル３０は、遮音材により矩形の平板状に形成されている。遮音パネル３０の平板面上には、吸音材や音響反射材等を貼っても構わない。
遮音パネル３０は、図１、３に示すように、蛇腹状連接手段で上下方向に連接されている。本実施形態では、蛇腹状連接手段として、遮音パネル３０をパンタグラフ構造に連結する手段が使用され、かかる手段で連接された遮音パネル３０が、所定間隔離された支持部材２０間に設けられている。
遮音パネル３０の両長辺部分３１は、棒状の梁部材４０を介して互いに回転可能に蝶番等を使用して軸支され、断面が略菱形形状が上下に繋がったパンタグラフ構造に連結されている。
【００１３】
また、本実施形態では、遮音パネル３０の梁部材４０への軸支に際しては、遮音パネル３０同士の交差角度が所定角度αより大きく開かないように軸支されている。そのため、連接した遮音パネル３０を上方に伸長した場合でも、遮音壁面が平面にならずに、波形に形成される。
かかる交差角度を規制せずに、形成される遮音壁面が適宜平らに形成されるようにしても、基本的には構わない。
また、本実施形態では、遮音パネル３０は、梁部材４０に遮音パネル３０の交換ができるように脱着自在に軸支されている。
【００１４】
さらに、パンタグラフ構造部分の中央部（遮音パネル３０が略Ｘ字形に交差する部分）では、４面の遮音パネル３０が一本の梁部材４０ａに脱着自在に軸支されている。かかる４面の遮音パネル３０が軸支された梁部材４０ａが、所定間隔離された両支持部材２０間に渡されている。梁部材４０ａは、支持部材２０に沿って、且つ支持部材２０から外れないようにして上下移動できるように渡されている。パンタグラフ構造部分の上端側の梁部材４０ａは、前記構成の支持部材２０の上端側間に渡され、支持部材２０の上下伸縮に合わせて、遮音パネル３０を連接してなるパンタグラフ構造部分が上下に伸縮できるようになっている。
【００１５】
このようにして、遮音壁が必要なときには、格納凹部１０内から、支持部材２０を上方に適宜長さ伸長すれば、図３（ａ）に示すように、連接した遮音パネル３０が上下に伸びて遮音壁が立設できる。
また、支持部材２０の上端を格納凹部１０内に納まるように下げれば、図３（ｂ）に示すように、遮音壁を構成するそれぞれ遮音パネル３０が折りたたまれて格納される。
さらに、本実施形態では、遮音パネル３０は梁部材４０、４０ａに脱着自在に設けられているので、遮音パネル３０を、例えば、平板面上に吸音材、或は音響反射材を貼ったものと適宜交換すれば、遮音壁に囲まれた空間の種々の音響演出ができる。
また、上記実施形態では、図１に示すように、遮音パネル３０が長手方向の途中で弛んだりして歪まないように、支持部材２０と同様の構成の補助用支持部材２０ａが設けられている。かかる歪みが心配ない場合は、補助用支持部材２０ａは不要である。
【００１６】
上記実施形態では、遮音パネル３０をパンタグラフ構造状に連接する構成としたが、格納凹部１０内に設ける支持部材２０のそれぞれにパンタグラフ構造部材５０を設けて、このパンタグラフ構造部材５０間に遮音パネル３０を設けるようにする構成も考えられる。
例えば、図４に示すように、パンタグラフ構造部材５０は、等長のリンク６０をピン枢着等のピン連結により上下伸縮可能なパンタグラフ構造に組み上げて形成されている。パンタグラフ構造部材５０は、その上端側が前記構成の支持部材２０の上端側に取り付けられている。支持部材２０を上下伸縮させることにより、このパンタグラフ構造部材５０を、適宜伸ばしたり、或はたたんだりすることができる。
【００１７】
また、所定間隔離して設けられた支持部材２０に取り付けたパンタグラフ構造部材５０のリンク６０の外端間は、梁部材７０で連結されている。所定間隔離して設けた支持部材２０のそれぞれのパンタグラフ構造部材５０が、同じように上下伸縮することができるようになっている。
かかる構成のパンタグラフ構造部材５０のリンク６０間に、遮音パネル３０がかけ渡すように設けられている（図４の断面図では、遮音パネル３０がリンク６０に隠れて見えない）。本実施形態では、遮音パネル３０のかけ渡しに際しては、リンク６０へ遮音パネル３０の短片側をボルト・ナット連結等で、脱着自在に取り付けられている。
【００１８】
また、遮音パネル３０のパンタグラフ構造部材５０への取り付けは、支持部材２０を挟んでパンタグラフ構造部材５０の両側に取り付けて、中間に空気層を介在させて遮音効果がより高められるようになっている。しかし、一方の側（騒音発生側に面する側）にのみ遮音パネル３０を取り付けるようにしても構わない。さらに、支持部材２０の片方の側に、支持部材２０上を上下方向に移動可能な車輪若しくはスライド部材を設けておき、個々の車輪やスライド部材間を、蝶番等の蛇腹状連接手段で長辺部分を連接した矩形の遮音パネルで断面波形に連結するようにしても構わない。
【００１９】
【発明の効果】
本発明の遮音壁は、常時立設させておく必要がなく、適宜必要に応じて格納凹部から高さ調整可能に立設することができる。そのため、本発明を騒音等の大きな音の発生頻度の少ない屋外イベントホール等に適用すれば、イベントの行なわれない時は、地中等の格納凹部に格納できるので、景観を塞がないで周囲環境を良好に保つことができる。また、イベント開催時には、イベントで発生する騒音量に応じて、適切な高さ調節ができる。
さらに、遮音パネルを交換することができるため、吸音性の表面材を使用することにより反射音がなくなりあたかも広い野原の中のような感じを演出し、或は音響反射材を表面材として用いて反射音のするライブな空間を創造できる。
【図面の簡単な説明】
【図１】本実施形態に係る可変遮音壁の部分斜視図。
【図２】支持部材の別構成を示す断面図。
【図３】本実施形態に係る可変遮音壁の立設状態の断面図（ａ）と、格納状態を示した断面図（ｂ）。
【図４】パンタグラフ構造部材を使用した可変遮音壁の立設状態を示す断面図（ａ）と、格納状態を示す断面図（ｂ）。
【符号の説明】
１０  格納凹部
２０  支持部材
３０  遮音パネル
５０  パンタグラフ構造部材
６０  リンク
Ａ    可変遮音壁
【図１】
0003654988.tif 000002
【図２】
0003654988.tif 000003
【図３】
0003654988.tif 000004
【図４】
0003654988.tif 000005